(57)【要約】【課題】端末装置の第１の筐体の角部にキーを配置すること。【解決手段】携帯端末装置１は、第１の筐体２と、第１の筐体２の角部を切欠いた部位に装着されるキー１０を備える。また、角部の側面方向を回転軸とし、第１の筐体２に形成される軸受け部に装着される軸部、及び第１の筐体２の切欠いた部位の周縁に引っ掛かる周縁部と、を有し、キー１０を支持するキー支持部２０を備える。また、キー１０に対して、回転軸によって定まる回転方向に所定の押圧力が加わる場合に、キー支持部２０を介して押圧力を基板の所定部位に伝達する伝達部３０と、キー１０及びキー支持部２０が装着された第１の筐体２に組み合わされて、伝達部３０、基板６及びスイッチを格納する第２の筐体と、を備える。【選択図】図１
2010277859.tif 000002
【特許請求の範囲】
【請求項１】
第１の筐体と、
前記第１の筐体の角部を切欠いた部位に装着されるキーと、
前記角部の側面方向を回転軸とし、前記第１の筐体に形成される軸受け部に装着される軸部、及び前記第１の筐体の切欠いた部位の周縁に引っ掛かる周縁部と、を有し、前記キーを支持するキー支持部と、
基板に設けられるスイッチと、
前記キーに対して、前記回転軸によって定まる回転方向に所定の押圧力が加わる場合に、前記キー支持部を介して前記押圧力を前記スイッチに伝達する伝達部と、
前記キー及び前記キー支持部が装着された前記第１の筐体に組み合わされて、前記伝達部、前記基板及び前記スイッチを格納する第２の筐体と、を備える
端末装置。
【請求項２】
前記キー及び前記キー支持部は、接続部を介して接続され、
前記接続部は、前記キーに複数の突起部で形成され、
前記キー支持部には、前記接続部が挿入される貫通孔が形成され、
前記キーは、前記貫通孔に挿入された前記複数の突起部が溶着されることによって前記キー支持部に支持される
請求項１記載の端末装置。
【請求項３】
前記伝達部は、弾性樹脂によって形成され、前記基板及び前記スイッチを覆い、前記キー又は前記キー支持部に接触する
請求項１又は２記載の端末装置。
【発明の詳細な説明】
【技術分野】
【０００１】
本発明は、例えば、小型形状の携帯電話機にキーを配置する場合に適用して好適な端末装置に関する。
【背景技術】
【０００２】
従来、携帯電話機、ＰＤＡ装置（PDA：Personal Digital Assistant）、携帯ゲーム機、ノート型のパーソナルコンピュータ装置等の携帯型の端末装置が用いられている。このような端末装置は、筐体自体が小型化するため、どのようにキー配置のデザインが重要となっている。
【０００３】
特許文献１には、例えば、全長×横幅×厚さが１００ｍｍ×５０ｍｍ×１０ｍｍ程度の小型化及び薄型化された、いわゆるストレート型（スティック型）の携帯電話機について開示されている。
【先行技術文献】
【特許文献】
【０００４】
【特許文献１】特開２００９−６０４２６号公報
【発明の概要】
【発明が解決しようとする課題】
【０００５】
ところで、特許文献１に開示される携帯電話機は、筐体表面の半分以上を表示部が占めており、キーを小さくせざるをえない。一般にキーは押下されることでユーザの操作を内部機構に指示しており、キーを押下するための一定の移動距離が必要となる。また、筐体からキーが脱落することを防ぐためには、筐体の面内にしかキーを設けることができない。このため、キーの数を増やすことが困難であり、また、キーの配置が筐体の面内に制限されることによって、キー配置や携帯端末のデザイン性が制限されていた。
【０００６】
本発明はこのような状況に鑑みて成されたものであり、ケースの角部にキーを配置することを目的とする。
【課題を解決するための手段】
【０００７】
本発明に係る端末装置は、第１の筐体と、第１の筐体の角部を切欠いた部位に装着されるキーと、を備える。
また、角部の側面方向を回転軸とし、第１の筐体に形成される軸受け部に装着される軸部、及び第１の筐体の切欠いた部位の周縁に引っ掛かる周縁部と、を有し、キーを支持するキー支持部と、基板に設けられるスイッチと、を備える。
また、キーに対して、回転軸によって定まる回転方向に所定の押圧力が加わる場合に、キー支持部を介して押圧力をスイッチに伝達する伝達部と、キー及びキー支持部が装着された第１の筐体に組み合わされて、伝達部、基板及びスイッチを格納する第２の筐体と、を備える。
【０００８】
端末装置をこのような構成としたことで、第１の筐体の角部を切欠いた部位にキーを装着することが可能となる。
【発明の効果】
【０００９】
本発明に係る端末装置は、キー支持部にキーを接続した上で、キー支持部を第１の筐体に装着し、伝達部と共に第１の筐体を第２の筐体に組み合わせるものである。このとき、第１の筐体には、軸受け部を設け、キー支持部の軸部を軸受け部に装着したことにより、キーに所定の移動距離を確保しつつ、第１の筐体の角部を切欠いた部位にキーを装着することが可能となった。このため、第１の筐体にキーを装着するための空きスペースが少なくても、角部にキーを確実に装着できるという効果がある。また、このキーは、回転軸に沿って所定の角度で回転可能であり、接続部によって接続されるため、容易に外れることがなく、キーの耐衝撃性を高めることができ、キー配置のデザイン性を高めることができるという効果がある。
【図面の簡単な説明】
【００１０】
【図１】本発明の一実施の形態における携帯端末装置の構成例を示す斜視図である。
【図２】本発明の一実施の形態における操作部の構成例を示す斜視図である。
【図３】本発明の一実施の形態における操作部の構成例を示す分解斜視図である。
【図４】本発明の一実施の形態におけるキーの構成例を示す斜視図である。
【図５】本発明の一実施の形態におけるキー支持部の構成例を示す斜視図である。
【図６】本発明の一実施の形態における伝達部の構成例を示す斜視図である。
【図７】本発明の一実施の形態における携帯端末装置の一部を、図１のＡ−Ａ′線において断面視した場合における構成図である。
【図８】本発明の一実施の形態における携帯端末装置の一部を、図１のＢ−Ｂ′線において断面視した場合における構成図である。
【図９】本発明の一実施の形態における携帯端末装置の一部を、図１のＣ−Ｃ′線において断面視した場合における構成図である。
【発明を実施するための形態】
【００１１】
以下、発明を実施するための最良の形態（以下実施の形態とする。）について説明する。なお、説明は以下の順序で行う。
１．一実施の形態（携帯端末装置の構成例）
２．変形例
【００１２】
＜１．一実施の形態＞
［携帯端末装置の例］
【００１３】
以下、本発明の一実施の形態について、添付図面を参照して説明する。本実施の形態では、持ち運びに適した携帯端末装置１に適用した例について説明する。
【００１４】
図１Ａは、本例の携帯端末装置１の外部構成例を示す斜視図である。
携帯端末装置１は、ユーザが操作する側である上面に配置される第１の筐体２と、下面に配置される第２の筐体３を組み合わせて１個の筐体として形成される。第１の筐体２は、ユーザが各種の操作を行う操作部５を備える。操作部５は、第１の筐体２の角部を切欠いた部位に装着されるキー１０を備える。キー１０は、例えば、ＡＢＳ（Acrylonitrile-Acrylate-Styrene）樹脂等の合成樹脂を用いて形成される。
【００１５】
また、第１の筐体２には、液晶ディスプレイ等からなる表示部４の表示面を露出するため、表示面に合わせた穴が形成される。第２の筐体３には、表示部４、各種の基板６（図１Ｂ参照）、不図示の電池、アンテナ及び通信インタフェース等が格納される。
【００１６】
図１Ｂは、本例の携帯端末装置１の分解斜視図である。
第１の筐体２と第２の筐体３を分解すると、操作部５に対応する箇所には、各種の部品が設けられていることが示される。携帯端末装置１は、ユーザによってキー１０が押下される際に、キー１０を所定の回転方向に回転させるキー支持部２０を備える。キー支持部２０は、第１の筐体２からキー１０が外れないように、第１の筐体２の裏面から接続部１２（後述する図３参照）を介してキー１０を支持する。
【００１７】
また、第１の筐体２は、操作部５とキー支持部２０の裏面形状に合わせて形成された突起部を用いて、キー１０に加わる押圧力を基板６に形成された各種のスイッチに伝達する伝達部３０を備える。伝達部３０は、弾性樹脂で形成されており、第１の筐体２、第２の筐体３及びキー１０の隙間から進入する水分を基板６に浸透させないため、携帯端末装置１は防水性を有する。
【００１８】
そして、基板６には、押圧されることによって、オン・オフを切替えるスイッチ７が設けられる。伝達部３０の裏面には、操作部５に配置される各種キーの形状に合わせて押圧点に突起部が形成される。そして、第２の筐体３は、キー１０及び前記キー支持部２０が装着された第１の筐体２に組み合わされて、伝達部３０、基板６及びスイッチ７を格納する。
【００１９】
図２は、操作部５の構成例を示す斜視図である。
図２Ａは、第１の筐体２の一部を表側から視認した場合における操作部５の構成例を示す斜視図である。
操作部５に含まれるキー１０は、第１の筐体２の側面の角部を切欠いた部位に装着される。ユーザが、キー１０に破線で示した押圧範囲１１を所定の押圧力を加えて押下すると、キー１０が内側に傾けられ、伝達部３０を介して、押圧範囲１１に対応する位置に形成されたスイッチ７に押圧力が伝達される。
【００２０】
図２Ｂは、第１の筐体２の一部を裏側から視認した場合における操作部５の構成例を示す斜視図である。
キー１０の裏面には、キー１０を第１の筐体２に装着するためのキー支持部２０が取り付けられる。キー支持部２０は、第１の筐体２の角部の側面方向を回転軸とする軸部２１を備え、貫通孔２２が形成される。軸部２１は、第１の筐体２に形成された軸受け部８に装着されており、軸部２１の回転軸によって定まる回転方向にキー１０を動かすことが可能となる。また、キー１０には、キー支持部２０に装着されて、キー支持部２０にキー１０を固定する接続部１２が形成されており、キー支持部２０に形成された貫通孔２２に接続部１２が挿入される。そして、接続部１２が溶着されることによって、溶着部１３に変形する。
【００２１】
図２Ｃは、第１の筐体２の一部を裏側から視認した場合におけるキー支持部２０の構成例を示す拡大図である。
キー１０は、貫通孔２２に装着された接続部１２（２つの突起部）が溶着されることによってキー支持部２０に固定される。ここで、溶着部１３の外径は、貫通孔２２の内径よりも大きく、接続部１２の溶け出した樹脂が貫通孔２２を埋めることとなる。
【００２２】
図３は、操作部５の構成例を示す分解斜視図である。
図３Ａは、第１の筐体２の一部を表側から視認した場合における操作部５の構成例を示す分解斜視図である。
第１の筐体２の幅広面と側面によって形成される角部には、キー１０を取り付けるために貫通された切欠け部９が形成される。切欠け部９には、上述したように、キー１０と、キー１０に取り付けられたキー支持部２０が装着される。
【００２３】
図３Ｂは、第１の筐体２の一部を裏側から視認した場合における操作部５の構成例を示す分解斜視図である。
キー１０の裏面には、２つの接続部１２が形成されることが示される。そして、接続部１２は、キー支持部２０に形成された貫通孔２２に挿入される。
【００２４】
図４は、キー１０の構成例を示す斜視図である。
図４Ａは、表側から視認した場合におけるキー１０の構成例を示す斜視図である。
キー１０の側面には、第１の筐体２の側面の形状と合わせて壁部１４が形成されることが示される。壁部１４は、キー支持部２０の軸部２１を外部の衝撃から保護したり、異物が第１の筐体２内に入り込むことを防いだりする機能を有する。
【００２５】
図４Ｂは、裏側から視認した場合におけるキー１０の構成例を示す斜視図である。
キー１０の裏面には、接続部１２が形成される。本例では、接続部１２を、２本の突起部で形成している。キー支持部２０の貫通孔２２に挿入した接続部１２を溶着することにより、多少の衝撃が加わったとしても、キー１０がキー支持部２０から脱落することを防止できる。接続部１２は、複数本あれば望ましく、また、本例では、接続部１２を円柱状の複数の突起部で形成しているが、多角柱状に形成してもよい。
【００２６】
図５は、キー支持部２０の構成例を示す斜視図である。
図５Ａは、表側から視認した場合におけるキー支持部２０の構成例を示す斜視図である。
キー支持部２０の両端には、軸部２１が形成され、キー支持部２０は、軸部２１を中心軸として所定の角度で上下に回転する。また、貫通孔２２の周縁部の厚みを増すことによって、貫通孔２２に挿入される接続部１２を介して伝わる応力に耐えることができる。
【００２７】
また、キー支持部２０の周縁には、第１の筐体２の切欠いた部位の周縁に引っ掛かる周縁部２４が形成される。周縁部２４は、キー１０の外形状より大きめに形成されるため、第１の筐体２の裏側からキー１０とキー支持部２０が装着された際、キー１０とキー支持部２０が第１の筐体２から脱落することを防ぐことができる。
【００２８】
図５Ｂは、裏側から視認した場合におけるキー支持部２０の構成例を示す斜視図である。
軸部２１には、キー１０から伝達される押圧力が繰り返し加わるため、厚みを増した軸補強部２３により、回転軸全体を保護している。また、接続部１２が貫通孔２２にはめ込まれた後、接続部１２は溶着される。このとき、溶け出した接続部１２が他の部位に流れ出さないようにするため、貫通孔２２の周囲は陥没させてある。
【００２９】
図６は、伝達部３０の構成例を示す斜視図である。
図６Ａは、表側から視認した場合における伝達部３０の構成例を示す斜視図である。
伝達部３０は、弾性樹脂で一体成型されており、第１の筐体２に取り付けられる各種のキーに合わせて、操作部５に加わる押圧力を各種のスイッチに伝達する機能を有する。このため、キー１０に対して、軸部２１の回転軸によって定まる回転方向に所定の押圧力が加わる場合に、キー支持部２０を介して押圧力を基板の所定部位（本例では、スイッチ７）に伝達する。
【００３０】
また、伝達部３０の周縁には、伝達部３０の形状を保持すると共に、第１の筐体２と第２の筐体３の内部に伝達部３０が格納された際、基板６への水分の浸透を防ぐ周縁部３２が形成される。また、伝達部３０は、弾性樹脂によって形成されており、基板６を覆い、キー１０又はキー支持部２０に接触しており、基板６や各種のスイッチを保護する機能を有する。
【００３１】
図６Ｂは、裏側から視認した場合における伝達部３０の構成例を示す斜視図である。
キー１０の押圧範囲１１に対応する箇所には、突起部が形成される。また、他の箇所にも同様に複数の突起部が形成される。そして、キー１０が押圧されると、突起部を介してスイッチ７に押圧力が伝達される。
【００３２】
図７は、図１に示した携帯端末装置１の一部を、Ａ−Ａ′線において断面視した例を示す。
図７より、キー１０が押下されると、キー支持部２０を介して伝達部３０に形成された突起部が下方に移動し、スイッチ７を押下することが示される。このとき、キー１０は、軸部２１によって定まる回転軸の中心点２５に対して、内向きに所定の角度だけ回転し、所定の移動距離だけ移動する。ただし、キー支持部２０の軸補強部２３がキー１０の壁部１４の内側に接触するため、過剰にキー１０が押下されることはない。
【００３３】
キー１０と、第２の筐体３には、わずかな隙間１６が設けられる。この隙間１６があることにより、キー１０が押下されても、キー１０と第２の筐体３が接触することによる不要な抵抗が生じない。また、隙間１６は十分に小さいため、ユーザの爪やゴミ等が第１の筐体２と第２の筐体３の内部に進入することを防ぐことができる。また、伝達部３０に形成された周縁部３２は、基板６を覆い、キー１０の裏側、キー支持部２０の裏面、及び基板６の表面に密着する。このため、水分等が基板６に進入することを防ぐことができる。
【００３４】
図８は、図１に示した携帯端末装置１の一部を、Ｂ−Ｂ′線において断面視した例を示す。
図８より、キー１０の接続部１２を溶着した溶着部１３によって、キー１０がキー支持部２０に接続されることが示される。また、第１の筐体２の切欠いた部位には、キー支持部２０の周縁部２４が引っ掛かる。このため、キー１０に様々な方向から力が加わったとしても、キー１０が第１の筐体２から容易に抜け落ちない。
【００３５】
図９は、図１に示した携帯端末装置１の一部を、Ｃ−Ｃ′線において断面視した例を示す。
図９より、軸部２１が第１の筐体２に形成された軸受け部８に回転可能に装着されることが示される。このため、軸部２１は、所定の位置に固定され、押圧されたキー１０を所定の回転方向に回転させることができる。
【００３６】
以上説明した本実施の形態に係る携帯端末装置１によれば、キー１０は、接続部１２によってキー支持部２０に接続された上で、第１の筐体２の切欠け部９に装着される。また、キー支持部２０には軸部２１が設けられ、第１の筐体２には軸受け部８が設けられており、軸部２１の中心軸が固定される。そして、軸部２１は、キー１０の角部の側面方向を回転軸とするため、キー１０に押圧力が加わった際におけるキー１０の回転方向が定められ、隙間１６を小さくし、キーに所定の移動距離を確保しつつ、第１の筐体の角部を切欠いた部位にキーを装着することが可能となる。このため、第１の筐体にキーを装着するための空きスペースが少なくても、キー１０を携帯端末装置１の角部に配置することが可能となり、携帯端末装置１のデザイン性が向上するという効果がある。
【００３７】
また、接続部１２は、複数の突起部で形成され、キー支持部２０に形成された貫通孔２２に挿入された接続部１２が溶着されることによって、キー１０と接続部１２が強固に接続される。このため、キー１０と接続部１２が容易に外れることがなく、キーの耐衝撃性を高めることができ、第１の筐体２からキー１０が脱落しないという効果がある。
【００３８】
また、ユーザによって押下されるキー１０は、キー支持部２０と伝達部３０を介して基板６に設けられるスイッチ７を押下する。このため、キー１０が直接スイッチ７を押下する場合に比べて、スイッチ７の損傷を防ぐことができ、耐久性が高まるという効果がある。
【００３９】
また、伝達部３０は、弾性樹脂によって形成されており、基板６を覆い、キー１０又はキー支持部２０に接触する。このため、伝達部３０は基板６への水分の浸透を防ぎ、耐故障性を高めることができるという効果がある。
【００４０】
＜２．変形例＞
【００４１】
なお、上述した一実施の形態に係る携帯端末装置１によれば、第１の筐体２の両側面の角部にキー１０を配置するようにした。しかし、キー１０の配置箇所は、この箇所に特定されることなく、様々な箇所に設けてもよい。また、両側面の角部に配置するキー１０の個数は、１個又は３個以上としてもよい。また、キー１０の形状も半円形状に限らず、他の形状としてよい。
【００４２】
また、溶着部１３として形成される突起部は、１個又は３個以上としてもよい。また、溶着部１３を形成するためには、熱溶着の他、超音波溶着を用いてもよい。また、接続部１２として、接着剤や両面テープを用いることで、キー１０とキー支持部２０を接続してもよい。
【符号の説明】
【００４３】
１…携帯端末装置、２…第１の筐体、３…第２の筐体、４…表示部、５…操作部、６…基板、７…スイッチ、８…軸受け部、９…切欠け部、１０…キー、１１…押圧範囲、１２…接続部、１３…溶着部、１４…壁部、１６…隙間、２０…キー支持部、２１…軸部、２２…貫通孔、２３…軸補強部、２４…周縁部、２５…中心点、３０…伝達部、３２…周縁部
【図１】
2010277859.tif 000003
【図２】
2010277859.tif 000004
【図３】
2010277859.tif 000005
【図４】
2010277859.tif 000006
【図５】
2010277859.tif 000007
【図６】
2010277859.tif 000008
【図７】
2010277859.tif 000009
【図８】
2010277859.tif 000010
【図９】
2010277859.tif 000011